(57)【特許請求の範囲】
【請求項１】
中央に通孔が形成されたベースフレームと、
前記ベースフレームのリムの外側面から下方に延びており、前記ベースフレームと平行に延びた連結部を先端に有するように外側に折り曲げられた複数の連結部材とを備えることを特徴とする護岸用ブロック。
【請求項２】
前記ベースフレームのリムには、前記ベースフレームの厚さ方向に多数の孔が形成され
、隣接する２つの前記孔の間には、前記孔同士を分離する区画板がそれぞれ設けられていることを特徴とする請求項１に記載の護岸用ブロック。
【請求項３】
前記連結部材は前記ベースフレームのリムの外側方向に拡開していることを特徴とする
請求項１または２に記載の護岸用ブロック。
【請求項４】
前記連結部材の内側面には補強リブが長手方向に形成されていることを特徴とする請求
項１または２に記載の護岸用ブロック。
【請求項５】
前記連結部材の前記連結部には、他の護岸用ブロックを連結するために、連結孔が形成
されていることを特徴とする請求項１または２に記載の護岸用ブロック。
【請求項６】
前記連結部材の連結部の先端部は小幅を有し、前記連結部には案内部が形成されること
により、前記連結部が他の護岸用ブロックの連結部と重畳するように、連結される他の護岸用ブロックの連結部を案内することを特徴とする請求項５に記載の護岸用ブロック。
【請求項７】
前記連結部材は４つ設けられており、当該４つの連結部材の任意の対角線を基準として
、一方の連結部材の連結部の下面には係合突起が形成され、他方の連結部材の連結部の下面には係合孔が形成され、連結される他の護岸用ブロックの係合突起が係合孔に挿入されることを特徴とする請求項１または２に記載の護岸用ブロック。
【発明の詳細な説明】
【技術分野】
【０００１】
本発明は護岸用ブロックに係り、より詳しくは簡単な構造で製造が容易であり、その取
扱い及び建設が容易であり、護岸用ブロックが多様な方法で連結できるので堤防及び傾斜
面に好適な護岸用ブロックに関するものである。
【背景技術】
【０００２】
一般に、護岸用ブロックは川の堤防または傾斜面の破壊を防止するために使用され、植
物の成長を助ける。
【０００３】
護岸用ブロックに係る本発明者により発明された既存の大韓民国特許は、図１に示すよ
うに、リム部１０、及び前記リム部１０で互いに交差する水平部１２及び垂直部１４を有
するベースフレーム１６と、前記リム部１０の下面から延びており、先端部に連結部１８
を有する連結部材２０と、前記水平部１２及び垂直部１４の交差点から垂直方向に延びる
支持突部２２とを備える護岸用ブロック２４を開示する。
【０００４】
前記のような従来の護岸用ブロックにおいて、土が満たされる空間は、上下側及び左右
側が互いに連通するように、上体部と下体部間に形成され、この空間に満たされる土は一
塊になるので、前記護岸用ブロックは土と一体化した状態で埋め込まれることになる。し
たがって、堅くて安定に埋め込まれた状態のブロックを得ることができる。また、長期間
が経過しても、土及び砂が流失するか破壊される現象を防止することができる。
【０００５】
特に、土で満たされた空間が上下側及び左右側に連通するため、植物の幹及び根が前記
空間を通じて上下側及び左右側に広がって自然に成長できる。したがって、前記護岸用ブ
ロックの埋め込まれた状態が前記植物の幹及び根により一層安定になる。
【０００６】
また、水中に沈む部分に、水を浄化し得る水生植物を植え込むことができるので、水を
効率よく浄化することができる。護岸用ブロックは廃プラスチックから形成されるため、
資源が節減され、低費用及び経済的な建設が達成される。
【０００７】
しかし、従来の護岸用ブロックは複雑で重い構造を有するので、護岸用ブロックの製造
、移動及び結合作業が不可能である。したがって、従来の護岸用ブロックは、製造費用の
増加、及び作業能率の低下をもたらし得る問題点を有する。
【発明の開示】
【発明が解決しようとする課題】
【０００８】
したがって、本発明の目的は、従来技術の問題点を解決することができる護岸用ブロッ
クを提供することである。
【０００９】
本発明のほかの目的は、単純かつ軽量の構造、容易な製造、運搬及び結合作業を達成す
ることができる護岸用ブロックを提供することである。
【課題を解決するための手段】
【００１０】
前記目的を達成するため、本発明の護岸用ブロックは、中央に通孔が形成されたベース
フレームと、前記ベースフレームのリムの外側面から下方に延びており、前記ベースフレ
ームと平行に延びた連結部を先端に有するように外側に折り曲げられた複数の連結部材と
を備える。
【００１１】
本発明による護岸用ブロックにおいて、前記ベースフレームのリムには、前記ベースフ
レームの厚さ方向に多数の孔が形成され、隣接する２つの前記孔の間には、前記孔同士を
分離する区画板がそれぞれ設けられている。
【００１２】
本発明による護岸用ブロックにおいて、前記連結部材は前記ベースフレームのリムの外
側方向に拡開している。
【００１３】
本発明による護岸用ブロックにおいて、前記連結部材の内側面には補強リブが長手方向
に形成されている。
【００１４】
本発明による護岸用ブロックにおいて、前記連結部材の前記連結部には、他の護岸用ブ
ロックを連結するために、連結孔が形成されている。
【００１５】
前記連結部材の連結部の先端部は小幅を有し、前記連結部には案内部が形成されること
により、前記連結部が他の護岸用ブロックの連結部と重畳するように、連結される他の護
岸用ブロックの連結部を案内する。
【００１６】
前記連結部材は４つ設けられており、当該４つの連結部材の任意の対角線を基準として
、一方の連結部材の連結部の下面には係合突起が形成され、他方の連結部材の連結部の下
面には係合孔が形成され、連結される他の護岸用ブロックの係合突起が係合孔に挿入され
る。
【発明を実施するための最良の形態】
【００１７】
以下、添付図面を参照して本発明の実施形態を説明する。
【００１８】
図２に示すように、本発明による護岸用ブロックは通孔が形成された中央部を有するベ
ースフレーム３０と、前記ベースフレーム３０のリムから下方に延びる複数の連結部材３
２とを備える。
【００１９】
前記ベースフレーム３０は所定幅を有する方形フレームからなる。前記ベースフレーム
３０は中央にベースフレーム３０の厚さ方向に通孔３４が形成される。
【００２０】
前記通孔３４は多数の区画板３６により所定幅に区画される。つまり、隣接する２つの
通孔３４の間には、通孔３４同士を分離する区画板３６がそれぞれ設けられている。
【００２１】
前記連結部材はベースフレーム３０のリムの外側面から下方に延びており、その先端に
はベースフレーム３０と平行に延びるように外側に折り曲げられた連結部３８が設けられ
る。
【００２２】
前記連結部材３２はリムの外側方向に拡開しており、所定の傾斜で傾いている。前記連
結部材の内側面には多数の補強リブ４０が長手方向に形成されている。ここで、前記補強
リブ４０は護岸用ブロックに対する補強機能を向上させるためベースフレームの区画板３
６に連結されることが好ましい。
【００２３】
前記連結部材３２の連結部３８には、連結部材３２が互いに対向する同一護岸用ブロッ
クの連結部３８が隣接し重畳して水平方向に連結するように連結孔４２が設けられる。
【００２４】
前記連結部材３２において、連結部３８の先端部の両側は、前記連結された同一護岸用
ブロックの連結部３８が互いに隣接するか、あるいは多層に重畳するように所定幅に切除
されているので、前記連結孔４２と同一高さに連結部３８が設けられる。前記連結部３８
には案内部４４が形成されるので、前記切除された連結部３８の先端部が同一護岸用ブロ
ックの連結部３８と重畳することになる。
【００２５】
各連結部材３２の連結部３８の下面には係合突起４６または係合孔４８が形成されるこ
とにより、同一護岸用ブロックの連結部３８の下面と選択的に係合できる。例えば、本発
明のこの実施形態においては、ベースフレーム３０から延びている四つの連結部材３２の
対角線を基準として一方の連結部３８には係合突起４６が形成され、他方の連結部３８に
は係合孔４８が形成される。
【００２６】
図３及び図４は本発明による護岸用ブロックの結合例を示す図である。連結部材３２が
互いに対向している同一護岸用ブロックを、連結部３８が当接するように結合部材５０を
使用して連結する。この際、護岸用ブロックを結合部材５０で連結するに先立ち、まず連
結部３８の係合突起４６と係合孔４８を係合させる。
【００２７】
ここで、結合部材５０の両端部には結合段差部が形成され、互いに対応する連結部材３
２が密接した状態で同一高さにある一対の連結孔４２に挿入されるにしたがい、結合部材
の一端部は連結孔４２の外側リム部にかかり、他側を通過する他端部は拡開して他側の連
結孔４２の外側リム部にかかることになる。他側を通過する他端部の中心には切除部５０
ｂが長手方向に形成されている。
【００２８】
また、結合部材５０を連結孔４２に結合された状態から解除させるためには、結合部材
５０の拡開端部を収縮させた後、反対方向に押し出すとよい。
【００２９】
図５及び図６は本発明による護岸用ブロックのほかの結合例を示す図である。図３の護
岸用ブロックは水平方向に連結されている。
【００３０】
図７及び図８に示すように、本発明の護岸用ブロックのベースフレームは方形に限定さ
れない。即ち、５角形、６角形または円形などに形成できる。
【００３１】
本発明による護岸用ブロックにおいて、ブロックに形成されて土が満たされる空間は従
来の護岸用ブロックと同様、上下側及び左右側に連通する。これに満たされた土はほかの
土と結集して一塊を形成するので、この護岸用ブロックはブロックと土が一体になった状
態で埋め込まれる。したがって、ブロックの埋め込まれた状態が堅く安定になる。長期間
が経過しても土が流失するかあるいは破壊されることはない。特に、土で満たされた空間
が上下側及び左右側に連通しているため、植物の幹または根がその空間を通じて上下方向
及び左右方向にひろがることができるので、植物が自然に成長することができる。ブロッ
クの埋め込まれた状態は前記空間内で成長する植物の幹及び根により一層安定になる。
【００３２】
また、水を効率よく浄化するために、水中に沈む部分に浄水能力を有する水生植物を植
え込むこともできる。前記ブロックは廃プラスチックから形成されるため、資源が節減さ
れ、製造費用が低くなり、経済的な製造が可能である。
【産業上の利用可能性】
【００３３】
以上説明したように、本発明による護岸用ブロックは、ベースフレームが各リムに連結
部材を形成し、前記連結部材の先端部に連結部を形成する。この護岸用ブロックの構造は
堅くて安定しており、軽量であるので製造、運搬及び結合作業が容易に行える。また、製
造費用が減少し、作業効率が向上される。この護岸用ブロックの連結構造は多様に達成さ
れる。したがって、本発明は堤防または道路の傾斜面に効果的に適用可能である。
【００３４】
本発明は前記実施形態に限定されない。本発明は本発明の基本特徴から逸脱しないで幾
つかの形態に具現することができるので、前述した例は別に特定しない限り、前記説明の
詳細内容に限定されなく、添付する特許請求範囲で定義される本発明の範囲内で多様に解
釈できるので、特許請求範囲の範囲内に属する全ての変形及び修正、またはこれと同等の
ものは添付する特許請求範囲内に属することを理解しなければいけない。
【図面の簡単な説明】
【００３５】
【図１】従来の護岸用ブロックを示す斜視図である。
【図２】本発明の一実施形態による護岸用ブロックを示す斜視図である。
【図３】本発明による一対の護岸用ブロックを互いに連結した状態を示す斜視図である。
【図４】本発明による護岸用ブロックの連結部と隣接連結部が層状構造に重畳した状態を示す要部斜視図である。
【図５】本発明による多数の護岸用ブロックを水平方向に連結した状態を示す側面図である。
【図６】本発明による多数の護岸用ブロックを水平方向に連結した状態を示す平面図である。
【図７】本発明のほかの実施形態による図２の護岸用ブロックを示す概略平面図である。
【図８】本発明のさらにほかの実施形態による図２のほかの護岸用ブロックを示す概略平面図である。
【図１】
0004431138.tif 000002
【図２】
0004431138.tif 000003
【図３】
0004431138.tif 000004
【図４】
0004431138.tif 000005
【図５】
0004431138.tif 000006
【図６】
0004431138.tif 000007
【図７】
0004431138.tif 000008
【図８】
0004431138.tif 000009